(57)【要約】【課題】撮像素子の表面に位置する最前光学素子表面を照明する照明手段とその表面との位置関係がカメラボディの装着に際して変動しない、レンズ交換式デジタルカメラの撮像系照明装置を得る。【解決手段】撮影レンズの着脱が可能なカメラボディを有するレンズ交換式デジタルカメラであって、撮影レンズの着脱が可能なカメラボディを有するレンズ交換式デジタルカメラであって、撮像素子を備えた撮像ユニットと、前記撮影レンズを透過した被写体光束が前記撮像素子に入射する撮影光路の外方から、前記撮像ユニットの光学素子中、撮影光路内において最も被写体側に位置する最前光学素子表面を照明する照明手段とを備え、前記撮像ユニットは、撮像素子が装着された状態で前記カメラボディに装着される装着部材を備え、この装着部材に前記照明手段を装着した。【選択図】図３
2010268101.tif 000002
【特許請求の範囲】
【請求項１】
撮影レンズの着脱が可能なカメラボディを有するレンズ交換式デジタルカメラであって、
撮像素子を備えた撮像ユニットと、
前記撮影レンズを透過した被写体光束が前記撮像素子に入射する撮影光路の外方から前記撮像ユニットの光学素子中、撮影光路内において最も被写体側に位置する光学素子表面を照明する照明手段とを備え、
前記撮像ユニットは、撮像素子が装着された状態で前記カメラボディに装着される装着部材を備え、
前記照明手段は、この装着部材に装着されていることを特徴とするレンズ交換式デジタルカメラの撮像系照明装置。
【請求項２】
請求項１記載のレンズ交換式デジタルカメラの撮像系照明装置において、前記撮像素子はローパスフィルターを備え、該ローパスフィルターの表面が前記最前光学素子表面であるレンズ交換式デジタルカメラの撮像系照明装置。
【請求項３】
請求項１又は２記載のレンズ交換式デジタルカメラの撮像系照明装置であって、前記照明手段は、前記最前光学素子表面上に付着した物体を側方から照明する位置に配置されているレンズ交換式デジタルカメラの撮像系照明装置。
【請求項４】
請求項１から３のいずれか一項記載のレンズ交換式デジタルカメラの撮像系照明装置において、前記撮像ユニットは、前記装着部材として、カメラボディに装着されるベースフレームと、このベースフレームに、撮影レンズの光軸と直交する面内において移動自在に支持された可動フレームを有するステージ装置を備え、前記撮像素子及び照明手段は、前記可動フレームに装着されて一緒に移動するレンズ交換式デジタルカメラの撮像系照明装置。
【請求項５】
請求項１から３のいずれか一項記載のレンズ交換式デジタルカメラの撮像系照明装置において、前記撮像ユニットは、装着部材として可動フレームと、該可動フレームを撮影レンズの光軸と直交する面内において移動自在に支持してカメラボディに装着されるベースフレームを備えたステージ装置を備え、前記撮像素子は前記可動フレームに装着され、前記照明手段は前記ベースフレームに装着されているレンズ交換式デジタルカメラの撮像系照明装置。
【請求項６】
請求項１乃至５のいずれか一項記載のレンズ交換式デジタルカメラの撮像系照明装置において、レンズ交換式デジタルカメラは前記撮像ユニットより撮影レンズ側にシャッターユニットを備え、前記撮像系照明装置は、前記シャッターユニットと撮像ユニットとの間に位置しているレンズ交換式デジタルカメラの撮像系照明装置。
【発明の詳細な説明】
【技術分野】
【０００１】
本発明は、レンズ交換式デジタルカメラの撮像系照明装置に係り、より具体的には、撮像系に付着したゴミなどの視認を容易にし、清掃を容易にする撮像系照明装置に関する。
【背景技術】
【０００２】
従来、レンズ交換式デジタルカメラでは、レンズ交換の際にカメラボディ内（ミラーボックス内）にごみ、ほこりなどの塵埃（以下「ゴミ」という）が侵入し、さらにシャッター開放の際にシャッター幕より後方に位置する撮像系の被写体側最前に位置する光学素子表面に付着する問題があった。前記最前光学素子表面に付着したゴミは、イメージセンサーの受光面に形成される被写体像中に影として写し込まれ、画像品質を落としてしまう。ここで撮像系は、ＣＣＤ、ＣＭＯＳタイプのイメージセンサーと、その前方被写体側に配置された赤外カットフィルター、ローパスフィルターなどイメージセンサーとユニット化された光学素子を含み、最前光学素子表面は、通常、ローパスフィルター表面になる。
【０００３】
ローパスフィルター表面に付着したゴミを除去するために、ミラーアップし、シャッターを開放状態に保持して光学素子表面を露出させて、マウント側から挿入した粘着棒にゴミを付着させて除去したり、エアーブロアー等でゴミを吹き飛ばして除去する技術が知られている。さらに出願人は、ローパスフィルター表面に付着したゴミを除去する際に見易くするために、ミラーボックスの底部に発光素子を設けて、撮像系の最前光学素子表面を照明する撮像系照明装置を提案した（特許文献１）。
【先行技術文献】
【特許文献】
【０００４】
【特許文献１】特開２００４-３２１８９号公報
【発明の概要】
【発明が解決しようとする課題】
【０００５】
従来の撮像系照明装置は、撮像系とは独立してカメラボディに装着されている。そのため、撮像系をカメラボディに装着する際に、光軸方向位置、光軸と直交する方向の位置及び光軸に対する傾き調整などの位置調整を行うので、発光素子とローパスフィルター表面との相対的位置関係、角度関係が変化して、ローパスフィルター表面の照明状態が変化してしまう。そのため、ゴミが見え難くなることがあった。
【０００６】
本発明は、かかる従来技術の課題に鑑みてなされたものであって、撮像系の最前に位置する光学素子表面を照明する照明手段とその表面との位置関係が、撮像系をカメラボディに装着する際に変動しない、レンズ交換式デジタルカメラの撮像系照明装置を得ることを目的とする。
【課題を解決するための手段】
【０００７】
前記の課題を解決する本発明は、撮影レンズの着脱が可能なカメラボディを有するレンズ交換式デジタルカメラであって、撮像素子を備えた撮像ユニットと、前記撮影レンズを透過した被写体光束が前記撮像素子に入射する撮影光路の外方から、前記撮像ユニットの光学素子中、撮影光路内において最も被写体側に位置する最前光学素子表面を照明する照明手段とを備え、前記撮像ユニットは、撮像素子が装着された状態で前記カメラボディに装着される装着部材を備え、前記照明手段は、この装着部材に装着されていることに特徴を有する。
【０００８】
前記撮像素子はローパスフィルターを備え、該ローパスフィルターの表面が前記光学素子表面となるのが実際的である。
【０００９】
前記照明手段は、前記光学素子表面上に付着した物体を側方から照明する位置に配置される。最前光学素子表面上に付着した物体の側面を照明することにより、物体側面で反射した照明光が被写体側に進むので、物体をより視認しやすくなる。
【００１０】
本発明の第１の実施形態における前記撮像ユニットは、前記装着部材として、カメラボディに装着されるベースフレームと、このベースフレームに、撮影レンズの光軸と直交する面内において移動自在に支持された可動フレームを有するステージ装置を備え、前記撮像素子及び照明手段を、前記可動フレームに装着されて一緒に移動させる。撮像素子と照明手段とが一緒に運動するので、撮像素子と照明手段との位置関係が狂うことが無い。
【００１１】
本発明の第２の実施形態における前記撮像ユニットは、装着部材として可動フレームと、該可動フレームを撮影レンズの光軸と直交する面内において移動自在に支持してカメラボディに装着されるベースフレームを備えたステージ装置を備え、前記撮像素子は前記可動フレームに装着され、前記照明手段は前記ベースフレームに装着される。照明手段が可動ステージに装着されていないので可動部材の荷重が増加せず、ステージ装置の可動能力を低下させない。
【００１２】
実際的には、レンズ交換式デジタルカメラは、前記撮像ユニットより撮影レンズ側にシャッターユニットを備え、前記撮像系照明装置は、前記シャッターユニットと撮像ユニットとの間に位置する。
【発明の効果】
【００１３】
本発明によれば、撮像系の最前光学素子表面を照明する照明手段が撮像系に装着されているので、撮像系をカメラボディに装着する際に照明手段と最前光学素子表面との位置関係がずれることが無い。
さらに撮像系に照明手段が装着されているので、最前光学素子表面に付着したゴミを側方から照明するので物体の側面で反射した照明光が被写体方向に進み、ゴミを視認し易くなる。
【図面の簡単な説明】
【００１４】
【図１】本発明をレンズ交換式デジタル一眼レフカメラの撮像ユニットに適用した実施形態においてカメラボディを縦断して要部を示す断面図である。
【図２】同デジタル一眼レフカメラの主要回路構成を示すブロック図である。
【図３】同撮像ユニットの正面図である。
【図４】図３の切断線IV-IVに沿う断面図である。
【図５】同撮像ユニットの他の実施形態の正面図である。
【発明を実施するための形態】
【００１５】
以下本発明の実施形態について、添付の図面を参照して詳細に説明する。図１は、本発明を、レンズ交換式デジタルカメラであるデジタル一眼レフカメラの撮像ユニットに適用した実施形態であって、カメラボディ１０を縦断して要部を示す断面図、図２は同デジタル一眼レフカメラの主要回路構成を示すブロック図である。
【００１６】
カメラボディ１０は、撮影レンズを着脱自在に装着するマウント部１２側から、主な光学素子として、メインミラー１３、シャッターユニット１５を有し、シャッターユニット１５で開閉される背後空間に、撮像系として、イメージセンサー５１を有する撮像ユニット５０が配置されている。メインミラー１３の上方には焦点板１７、ペンタプリズム１８、アイピースレンズ１９からなるファインダー光学系が配置されている。アイピースレンズ１９の上方には、ペンタプリズム１８から射出した被写体光束の一部を受光する測光センサー２０が配置されている。メインミラー１３の背面には、メインミラー１３のハーフミラー領域を透過した被写体光束を下方に配置されたＡＦセンサーユニット２１に導くサブミラー１４が配置されている。
【００１７】
カメラボディ１０の背面には、撮影モードなど撮影機能に関する情報や、撮影した画像を表示するディスプレイ４５が設けられている。
【００１８】
また、カメラボディ１０内には、図２に示すように、カメラボディ１０及び撮影レンズ１００を統括的に制御するメインＣＰＵ（制御手段）３１が搭載されていて、このメインＣＰＵ３１は、ＡＦ制御、ＡＥ制御、シャッターユニット１５の制御、イメージセンサー５１の動作制御などの撮影制御や、各種操作スイッチの操作に基づく各種動作制御等を行う。
【００１９】
メインＣＰＵ３１は、マウント部１２に設けられた接点端子を介して撮影レンズ１００内のレンズＣＰＵ１０１と接続され、レンズ固有のデータや撮影レンズ１００の状態、又はカメラボディ１０側の状態等の各種情報通信を行う。
【００２０】
メインＣＰＵ３１には、センサー類として、測光センサー２０及びＡＦセンサーユニット２１が接続され、制御、画像信号処理系としてＤＳＰ（Digital Signal Processor）３３、スイッチ類として測光スイッチ３５、レリーズスイッチ３６及びモードスイッチ３７、並びに駆動系としてモータードライバー３９、シャッター駆動回路４０、及びモータードライバー４３等がそれぞれ接続されている。ＡＦモーター３８はモータードライバー３９を介して、ミラーモーター４１及びチャージモーター４２はモータードライバー４３を介して、シャッターユニット１５はシャッター駆動回路４０を介してそれぞれメインＣＰＵ３１により駆動制御される。
【００２１】
イメージセンサー５１は、メインＣＰＵ３１の制御下で、ＤＳＰ３３により駆動制御される。イメージセンサー５１が撮影し、出力した画素信号はＤＳＰ３３によって処理される。ＤＳＰ３３は、イメージセンサー５１の駆動制御及びイメージセンサー５１が撮影して出力した画素信号から画像データを生成し、画像をディスプレイ４５に表示し、画像データを所定フォーマットに変換してメモリーカード（記録媒体）２００に記録する処理など、画像信号処理、表示処理及び画像記録処理を統括して制御するプロセッサである。
【００２２】
シャッターユニット１５は、いわゆるフォーカルプレーンシャッターであり、先幕、後幕がイメージセンサー５１のローパスフィルター表面５４ａに対面するように設置されている。シャッターユニット１５は、メインＣＰＵ３１の制御下でシャッター駆動回路４０により駆動され、露出時には、先幕と後幕の走行開始時の時間差により撮影光路を開閉して、開いている間に撮影レンズ１００からの被写体光束を通過させて被写体像をイメージセンサー５１の受光面５１ａに形成させる。また、シャッターユニット１５は、上述の露出動作をしたときは、モータードライバー４３を介して駆動されるチャージモーター４２により、撮影に備えたチャージ状態に駆動される。
【００２３】
メインミラー１３は、その上端部付近に設けられた回転軸１３ａにより回動可能に軸支されていて、図１に示すダウン（観察）位置と、焦点板１７に対向するアップ（観察）位置との間で回動移動する。メインミラー１３は、モータードライバー４３を介して駆動されるミラーモーター４１の駆動力とばね力（不図示）によりアップダウン動作する。図１に示す観察状態では、撮影レンズ１００を透過してカメラボディ１０内に入射した光束（被写体光）は、その大部分がメインミラー１３において反射され、焦点板１７に入射する。焦点板１７を透過し、ペンタプリズム１８から射出した被写体光の一部は、測光センサー２０に入射する。測光センサー２０は、受光量に応じた測光信号をメインＣＰＵ３１へ出力する。メインＣＰＵ３１は、入力した測光信号に基づいて、イメージセンサー５１の電荷蓄積時間（露光時間）となるシャッター速度、及び撮影レンズ１００側に設けられた絞り（図示せず）の開口量（絞り値）を演算し、撮影時には演算した値により駆動制御する。
【００２４】
メインミラー１３の中央領域はハーフミラーとなっていて、撮影レンズ１００から入射した光束の一部は、メインミラー１３を透過し、メインミラー１３の背面側に設けられたサブミラー１４により下方に反射されてＡＦセンサーユニット２１に入射する。
【００２５】
ＡＦセンサーユニット２１は、いわゆる瞳分割位相差方式の測距センサーであり、イメージセンサー５１の受光面５１ａと光学的に等価な位置にＣＣＤセンサーを有し、図示しない撮影画面内の所定の焦点検出エリアにおける焦点状態となる一対の被写体像信号をＡＦビデオ信号としてメインＣＰＵ３１へ出力する。メインＣＰＵ３１は、ＡＦビデオ信号に基づいてデフォーカス量を演算し、そのデフォーカス量と撮影レンズ１００の固有のレンズデータとに基づいて、フォーカシングレンズＦＬを合焦位置に移動させるためのレンズ駆動方向及び駆動量を演算し、ＡＦモーター３８を駆動制御する（ＡＦ駆動制御）。ＡＦモーター３８の駆動力は、カメラボディ１０のマウント部１２に設けられたジョイントと、撮影レンズ１００側のマウント部に設けられたジョイントを介してギアユニット１０３に伝達され、フォーカシングレンズＦＬが光軸方向に駆動される。
【００２６】
カメラボディ１０には、測光スイッチ３５及びレリーズスイッチ３６に連動したレリーズボタン（図示せず）、モードスイッチ３７に連動したモードボタン（図示せず）が設けられている。レリーズボタンの半押しで測光スイッチ３５がオンしレリーズボタンが全押しされると、測光スイッチ３５はオン状態を維持してレリーズスイッチ３６がオンする。モードスイッチ３７は、この動作モード設定ボタンの押圧操作に応じてオン／オフし、オンする毎に、撮影可能な撮影モードと、イメージセンサー５１の最前光学素子表面となるローパスフィルター表面５４ａの汚れのチェック及び清掃を可能にするセンサー清掃モードのいずれかに切り替わる。
【００２７】
撮像ユニット５０は、イメージセンサー５１を収容した長方形の浅い凹部を有するケーシング５２と、ケーシング５２の凹部の開口を覆うように設置されたカバーガラスとその前面側に設置された赤外カットフィルター（赤外線吸収フィルター）５３と、赤外カットフィルター５３の前面側に設置されたローパスフィルター５４とを備えている。この実施形態では、ローパスフィルター５４の表面５４ａが撮像ユニット５０の最前光学素子表面になっている。なお、赤外カットフィルター５３、ローパスフィルター５４、ローパスフィルター表面５４ａは、イメージセンサー５１の受光面５１ａと平行に設けられている。
【００２８】
この撮像ユニット５０は、イメージセンサー５１の受光面５１ａが、マウント部１２に装着された撮影レンズ１００の光軸Ｏに対して垂直になるように、かつ初期状態では受光面５１ａの撮像領域中心を光軸Ｏが通るようにカメラボディ１０に装着されている。
【００２９】
シャッターユニット１５と撮像ユニット５０との間に、ローパスフィルター表面５４ａを照明する撮像系照明装置としてＬＥＤ７１が装着されている(図１）。このＬＥＤ７１は、ローパスフィルター表面５４ａに付着した物体を側方から照明（物体の側面を照明）できるように設けられている。またこのＬＥＤ７１は、ドライバー７２を介して、メインＣＰＵ３１の制御下で点灯制御される。
【００３０】
次に、本実施形態の特徴である撮像系照明装置の構成について、さらに図３乃至図５を参照して説明する。図３には第１の実施形態である撮像ユニット５０の正面図を示し、図４には図３の切断線IV-IVに沿った断面図を示した。撮像ユニット５０は、除振ステージ装置６１を備えている。除振ステージ装置６１は、平板状のベースプレート６２と、このベースプレート６２に装着された平板状の前ヨーク６３と、これらのベースプレート６２と前ヨーク６３との間に配置された可動ステージ６４を備え、この可動ステージ６４上に、イメージセンサー５１が装着されている。
【００３１】
イメージセンサー５１は、可動ステージ６４前面にケーシング５２の底面が密着するように搭載され、ローパスフィルター５４の縁部に係合する爪部を備えた押え部材５５によって可動ステージ６４に固定されている。なお、可動ステージ６４は、ベースプレート６２及び前ヨーク６３との間の空間に、光軸Ｏに対して直交する面内において移動自在に支持されている。
【００３２】
前ヨーク６３には、撮影レンズ１００からの被写体光束がイメージセンサー５１の受光面５１ａまで入射するように開口６３ａが形成されている。この開口６３ａは、可動ステージ６４がその可動範囲内で移動しても、受光面５１ａに被写体像を形成する被写体光束がけられない形状、大きさに形成されている。
【００３３】
この除振ステージ装置６１は、イメージセンサー５１の受光面５１ａに形成された被写体像の受光面５１ａに対するぶれを軽減させるための公知の装置であって、図示しないが、可動ステージ６４を運動させる駆動手段、カメラボディ１０のぶれを検出するぶれ検出センサー（角加速度センサー）を備えている。そうしてぶれ検出センサーの検出結果に基づいてメインＣＰＵ３１が可動ステージ６４を運動させる加速度、速度、方向を演算し、駆動手段を駆動する。又、この除振ステージ装置６１は、可動ステージ６４を振動させてローパスフィルター表面６４ａに付着したゴミを落とすこともできる。
【００３４】
図３、図４に示した実施形態では、ローパスフィルター表面５４ａ上の物体（ゴミ８０）を側方から照明する撮像系照明装置としてのＬＥＤ７１が２個、押え部材５５に装着されている。ＬＥＤ７１は、ローパスフィルター表面５４ａ上を効率よく照明できるように、イメージセンサー５１の長辺に沿って所定間隔で配置されている。
【００３５】
このように第１の実施形態は、ＬＥＤ７１がローパスフィルター５４を押さえる押え部材５５に固定されているので、撮像ユニット５０をカメラボディ１０に装着する際に、ＬＥＤ７１とローパスフィルター表面５４ａとの位置がずれることが無い。しかもこの実施形態では、ＬＥＤ７１がイメージセンサー５１と一緒に可動ステージ６４上に搭載されているので、可動ステージ６４が移動してもＬＥＤ７１とローパスフィルター表面５４ａとの位置関係は常に一定である。
【００３６】
図３、４には、ローパスフィルター表面５４ａにゴミ８０が付着した状態を示してある。この状態でＬＥＤ７１を点灯すると、ＬＥＤ７１から射出された光束がローパスフィルター表面５４ａとほぼ平行に進み、ゴミ８０の側面を照射する。そうしてゴミ８０の側面を照射した光束は反射して、被写体側（撮影光路内を被写体側）に進み、ゴミ８０の側面が明るく認識される。また、照明されたゴミ８０の側面と反対側に影が形成される。したがってカメラボディ１０の正面（被写体側）からローパスフィルター表面５４ａを見ると、ゴミ８０の側面が明るく、反対側が暗くなり、明暗が明瞭に見えて、視認が容易になる。
【００３７】
この実施形態では、図３に示したように、ＬＥＤ７１の照明光の拡がり角が約１２０゜程度であり、ローパスフィルター５４の縁部に近接しているので、照明できない領域が残っている。そこで、好ましくはさらに、ＬＥＤ７１によって照明できなかった領域も照明できるように、ＬＥＤ７１を装着した辺と対向する辺に沿って、少なくとも１個のＬＥＤを装着する。
【００３８】
図５には、照明手段としてのＬＥＤ７３を前ヨーク６３に装着した第２の実施形態を示した。この第２の実施形態では、２個のＬＥＤ７３を、イメージセンサー５１の長辺に対応する、前ヨーク６３の開口６３ａに沿って所定間隔で配置した。これら２個のＬＥＤ７３により、ローパスフィルター表面５４ａの全ての領域を照明することができる。このように第２の実施形態は、ＬＥＤ７３がローパスフィルター５４の長辺から第１の実施形態のＬＥＤ７１よりも離れているので、ローパスフィルター表面５４ａのほぼ全領域の照明が可能になった。
【００３９】
さらにこの第２の実施形態によれば、ＬＥＤ７３が前ヨーク６３に装着されているので、撮像ユニット５０をカメラボディに装着する際にＬＥＤ７３とローパスフィルター表面５４ａとの位置関係がずれることが無い。しかもこの第２の実施形態によれば、ＬＥＤ７３を固定部材である前ヨーク６３に装着したので、ＬＥＤ７３は除振のために可動ステージ６４を駆動する際の負荷にならない。
【００４０】
第２の実施形態においても、開口６３ａを挟んでＬＥＤ７３と対向する辺に１個以上のＬＥＤを装着してもよい。この構成によれば、ローパスフィルター表面５４ａの全領域を明るく照明することが可能になる。
【００４１】
以上第１、第２の実施形態では、ＬＥＤ７１、７３がローパスフィルター表面５４ａに沿った照明光で照明するので、ローパスフィルター表面５４ａ上に付着したゴミ８０の明暗がはっきりと現れ、視認し易い。
【００４２】
以上の実施形態ではＬＥＤ７１、７３を長辺側に配置したが、短辺側に配置してもよく、短辺と長辺、あるいは全ての辺に配置してもよい。ＬＥＤ７１、７３の発光色は、赤などの単色光でも、白色でもよい。また、複数のＬＥＤを設ける場合は、全て同一の発光色のものを使用してもよく、いずれかまたは全て異なる発光色のものを使用してもよい。発光素子としてＬＥＤを使用したが、レーザーダイオードでもよい。
【００４３】
以上のように複数のＬＥＤを配置した場合は、センサー清掃モードでのゴミチェックの際に、各ＬＥＤを順番に点灯／点滅、全点灯等を繰り返すなどの点灯制御をしてもよい。明度の変化により、ローパスフィルター表面５４ａに付着したゴミがより視認し易くなる場合がある。
【００４４】
以上、第１、第２の実施形態は除振ステージ装置６１を備えた撮像ユニット５０に適用したが、本発明の撮像系照明装置は、除振ステージ装置６１を備えていない撮像ユニット、撮像系に適用することもできる。
【符号の説明】
【００４５】
１０  カメラボディ
１２  マウント部
１３  メインミラー
１４  サブミラー
１５  シャッターユニット
２１  ＡＦセンサーユニット
３１  メインＣＰＵ
３３  ＤＳＰ
３５  測光スイッチ
３６  レリーズスイッチ
３７  モードスイッチ
４１  ミラーモーター
４２  チャージモーター
４３  モータードライバー
４５  ディスプレイ
５０  撮像ユニット
５１  イメージセンサー
５１ａ  受光面
５２  ケーシング
５３  赤外カットフィルター
５４  ローパスフィルター
５４ａ  ローパスフィルター表面
５５  ローパスフィルター押え部材
６１  除振ステージ装置
６２  ベースプレート(ベースフレーム）
６３  前ヨーク（ベースフレーム）
６４  可動ステージ（可動フレーム）
６４ａ  開口
７１  ＬＥＤ（撮像系照明装置）
７３  ＬＥＤ（撮像系照明装置）
１００  撮影レンズ
１０１  レンズＣＰＵ
【図１】
2010268101.tif 000003
【図２】
2010268101.tif 000004
【図３】
2010268101.tif 000005
【図４】
2010268101.tif 000006
【図５】
2010268101.tif 000007